(57)【要約】【課題】複数の方式によるビデオ信号の出力機能を備えた携帯電子機器において、簡便にビデオ信号の送信方式を切替えるとともに誤操作を防止する。【解決手段】デジタルカメラ付き双眼鏡１０の左端にバッテリィカバー２００及び仕切り壁２９で囲まれるバッテリィ充填室９０を形成する。仕切り壁２９の装填されたバッテリィ９２により覆い隠される部分に開口部２０４を設ける。開口部２０４にＮＴＳＣ、ＰＡＬ、又はＳＥＣＡＭ方式間での切替えを行うスライドスイッチ２０６の摘み部２０８を配置する。バッテリィ９２を取り外してスイッチ２０６の切替えを行い、バッテリィ９２を再装填した後に電源を投入する。転輪軸筒５４の内側に設けられた撮影光学系により撮像される画像のビデオ信号を設定された方式でビデオ出力端子コネクタ９４から出力する。【選択図】　　　　図２
2004138954.tif 000002
【特許請求の範囲】
【請求項１】
起動前に切替え又は設定する必要がある機能を有する携帯電子機器であって、
前記機能の切替え又は設定を行うスイッチと、
前記スイッチの切替えを行うための操作部と、
電池が装填される電池充填室とを備え、
前記操作部が前記電池室内に設けられ、前記電池が装填された状態において前記操作部が覆い隠される
ことを特徴とする携帯電子機器。
【請求項２】
前記携帯電子機器がビデオ信号出力手段を備え、前記機能がビデオ信号の送信方式の複数の規格間における切替え機能であることを特徴とする請求項１に記載の携帯電子機器。
【請求項３】
前記携帯電子機器がデジタルカメラ付き双眼鏡であることを特徴とする請求項２に記載の携帯電子機器。
【発明の詳細な説明】
【０００１】
【発明の属する技術分野】
本発明は、起動前に切替え、設定を行う必要がある機能を備える電子機器に関し、特に複数の方式によるビデオ信号の出力機能を備えた携帯電子機器に関する。
【０００２】
【従来の技術】
電子機器において、例えばクロックに直接関わる機能や、起動時にシステムメモリに読み込む必要がある機能等を変更する場合には、電子機器の起動前にその機能の切替えを行う必要がある。例えばＤＩＰスイッチやロータリスイッチによるＳＣＳＩ（ｓｍａｌｌ　ｃｏｍｐｕｔｅｒ　ｓｙｓｔｅｍ　ｉｎｔｅｒｆａｃｅ）の識別番号（ＳＣＳＩ−ＩＤ）の設定や、ビデオ信号の送信方式の切替えなどがある。ビデオ信号の送信方式には例えば地域毎に、米国や日本のＮＴＳＣ方式、欧州のＰＡＬ方式、旧ソ連邦及びフランスのＳＥＣＡＭ方式等様々な規格が存在する。ビデオカメラ、デジタルカメラ、デジタルカメラ付き双眼鏡のように、ビデオ信号の出力機能を備えた携帯電子機器をビデオ信号の送信方式が異なる複数の地域で使用可能とするには、ビデオ信号の送信方式の切替えを行う機能を備える必要がある。従来、これらの切替えは例えばモニタに表示されるメニュ画面において電気的、ソフト的に切替えられる。
【０００３】
【発明が解決しようとする課題】
本発明は、起動前に切替えを必要とする機能を備えた携帯電子機器において、機能の切替えを簡便に行えるようにするとともに、誤操作を防止することを目的としている。特に複数の方式によるビデオ信号の出力機能を備えた携帯電子機器において、簡便にビデオ信号の送信方式を切替えられ、かつ誤操作を防止できるビデオ信号の切替えスイッチを提供することを目的としている。
【０００４】
【課題を解決するための手段】
本発明の携帯電子機器は、起動前に切替え又は設定する必要がある機能を有する携帯電子機器であって、機能の切替え又は設定を行うスイッチと、スイッチの切替えを行うための操作部と、電池が装填される電池充填室とを備え、操作部が電池室内に設けられ、電池が装填された状態において操作部が覆い隠されることを特徴としている。
【０００５】
携帯電子機器は例えばビデオ信号出力手段を備え、上記機能は例えばビデオ信号の送信方式の複数の規格間における切替え機能である。これにより、一般ユーザであっても地域毎に簡単にビデオ信号の方式を切替えることができる。また携帯電子機器はデジタルカメラ付き双眼鏡である。
【０００６】
【発明の実施の形態】
以下、本発明の画像表示機能付双眼鏡の一実施形態について、図面を参照して説明する。
【０００７】
先ず、図１を参照すると、本発明によるデジタルカメラ付き双眼鏡の内部構造が平面図として示され、図２を参照すると、図１のＩＩ−ＩＩ線に沿う断面図が示されている。本実施形態では、デジタルカメラ付き双眼鏡は略直方形を呈するケーシング１０を具備し、このケーシング１０はケーシング本体部分１０Ａと可動ケーシング部１０Ｂとから成る。
【０００８】
ケーシング１０内には一対の観察光学系１２Ｒ及び１２Ｌが設けられ、この一対の観察光学系１２Ｒ及び１２Ｌは左右対称な構成を有し、それぞれ右眼観察用及び左眼観察用として使用される。右側観察光学系１２Ｒはケーシング本体部分１０Ａに組み込まれ、この右側観察光学系１２Ｒには対物レンズ系１４Ｒ、光学プリズム系１６Ｒ及び接眼レンズ系１８Ｒが含まれる。ケーシング本体部分１０Ａの前方壁には観察窓１９Ｒが形成され、この観察窓１９Ｒは右側観察光学系１２Ｒの対物レンズ系１４Ｒと整列させられる。また、左側観察光学系１２Ｌは可動ケーシング部分１０Ｂ側に組み込まれ、この左側観測光学系１２Ｌには対物レンズ系１４Ｌ、光学プリズム系１６Ｌ及び接眼レンズ系１８Ｌが含まれる。可動ケーシング部分１０Ｂの前方壁には観察窓１９Ｌが形成され、この観察窓１９Ｌは左側観察光学系１２Ｌの対物レンズ系１４Ｌと整列させられる。
【０００９】
なお、以下の記載では、説明の便宜上、前方側及び後方側とはそれぞれデジタルカメラ付き双眼鏡の観察光学系（１２Ｒ、１２Ｌ）に対して対物側及び接眼側として定義される。
【００１０】
可動ケーシング部分１０Ｂはケーシング本体部分１０Ａから左方側に引き出し得るように該ケーシング本体部分１０Ａに対して摺動自在に係合させられる。即ち、可動ケーシング部分１０Ｂは図２に示す収納位置と図３に示す最大引出し位置との間で左右方向に移動自在とされる。可動ケーシング部分１０Ｂとケーシング本体部分１０Ａとの間の摺動係合面には或る程度の摩擦力が働くようになっており、このためケーシング本体部分１０Ａに対して可動ケーシング部分１０Ｂを移動させる際には双方の部分１０Ａ及び１０Ｂ間に所定以上の引出し力或いは押込み力を及ぼすことが必要となる。要するに、可動ケーシング部分１０Ｂはその収納位置（図２）と最大引出し位置（図３）との間の任意の位置で摩擦力で留めておくことが可能である。
【００１１】
図２及び図３の比較から明らかなように、可動ケーシング部分１０Ｂがケーシング本体部分１０Ａから引き出されたとき、左側観察光学系１２Ｌは可動ケーシング部分１０Ｂと共に移動するが、しかし右側観察光学系１２Ｒはケーシング本体部１０Ａ側に留められる。即ち、可動ケーシング部分１０Ｂをケーシング本体部分１０Ａに対して任意の引出し位置に位置決めすることにより、右側観察光学系１２Ｒの接眼レンズ系１８Ｒと左側観察光学系１２Ｌの接眼レンズ系１８Ｌとの光軸間距離即ち眼幅を調整することが可能である。
【００１２】
本実施形態においては、右側観察光学系１２Ｒの対物レンズ系１４Ｒはケーシング本体部分１０Ａに対して固定位置に設置されるが、その光学プリズム系１６Ｒ及び接眼レンズ系１８Ｒは対物レンズ系１４Ｒに対して前後方向に移動可能であり、これにより右側観察光学系１２Ｒの合焦（フォーカシング）が行われる。同様に、左側観察光学系１２Ｌの対物レンズ系１４Ｌは可動ケーシング部分１０Ｂに対して固定位置に設置されるが、その光学プリズム系１６Ｌ及び接眼レンズ系１８Ｌは対物レンズ系１４Ｌに対して前後方向に移動可能であり、これにより左側観察光学系１２Ｌの合焦（フォーカシング）が行われる。
【００１３】
以上で述べたような眼幅調節及び合焦動作を行わせるために、ケーシング１０の底部側には図４に示すような支持板構造体２０が設けられる。なお、図１では、図示の複雑化を避けるために支持板構造体２０は省かれている。
【００１４】
支持板構造体２０は、ケーシング本体部分１０Ａに対して適宜固定された矩形状固定板２０Ａと、この矩形状固定板２０Ａ上に摺動自在に配置されかつ可動ケーシング部分１０Ｂに対して適宜固定されたスライド板２０Ｂとから成る。スライド板２０Ｂは矩形状固定板２０Ａの前後方向の幅にほぼ等しい幅を持つ矩形状部２２と、この矩形状部２２から右方側に一体的に延在した延在部２４とから成る。右側観察光学系１２Ｒの対物レンズ系１４Ｒは矩形状固定板２０Ａの上の所定の位置に固定設置され、左側観察光学系１２Ｌの対物レンズ系１４Ｌはスライド板２０Ｂ上の所定位置に固定設置させられる。
【００１５】
スライド板２０Ｂの矩形状部２２には一対の案内スロット２６が形成され、またその延在部２４には案内スロット２７が形成される。一方、固定板２２には、一対の案内スロット２６に摺動自在に受け入れるようになった一対の案内ピン２６’と、案内スロット２７に摺動自在に受け入れるようになった案内ピン２７’とが植設される。各案内スロット（２６、２７）は左右方向に同じ長さだけ延び、その長さはケーシング本体部分１０Ｂの収納位置（図２）と可動ケーシング部分１０Ｂの最大引出し位置（図３）との間の距離に対応する。
【００１６】
図２及び図３から明らかなように、支持板構造体２０はケーシング１０内にその底部から適当な間隔を空けて設置され、このとき矩形状固定板２０Ａはケーシング本体部分１０Ａ側に適宜固定され、またスライド板２０Ｂは可動ケーシング部分１０Ｂ側に適宜固定される。なお、図示の実施形態では、可動ケーシング部分１０Ｂに対するスライド板２０Ｂの固定のために、その矩形状部２２の左辺縁の一部に沿って取付片２８が設けられ、この取付片２８が可動ケーシング部分１０Ｂの仕切り壁２９に適宜固着される。
【００１７】
図５を参照すると、右側観察光学系１２Ｒの光学プリズム系１６Ｒを搭載するための右側マウント板３０Ｒと、左側観察光学系１２Ｌの光学プリズム系１６Ｌを搭載するための左側マウント板３０Ｌが示される。図５及び図６から明らかなように、右側マウント板３０Ｒ及び左側マウント板３０Ｌのそれぞれの後方側縁辺に沿って直立板３２Ｒ及び３２Ｌが設けられる。図１に示すように、右側直立板３２Ｒは右側接眼レンズ系１８Ｒの取付座として用いられ、左側直立板３２Ｌは左側接眼レンズ系１８Ｌの取付座として用いられる。
【００１８】
図６に示すように、右側マウント板３０Ｒの底面にはその右側縁辺のほぼ中央に沿って案内シュー３４Ｒが固着され、この案内シュー３４Ｒには図２及び図３に示すように矩形状固定板２０Ａの右側端縁を摺動自在に受け入れる溝３６Ｒが形成される。また、右側マウント板３０Ｒの左側縁辺に沿って側壁３８Ｒが設けられ、この側壁３８Ｒの底部側は肥大部４０Ｒとして形成され、この肥大部４０Ｒには案内ロッド４２Ｒを摺動自在に挿通させるボアが形成される。案内ロッド４２Ｒの両端は矩形状固定板２０Ａの前方側縁辺及び後方側縁辺にそれぞれ一体的に形成された一対の対向直立支持片４４Ｒに形成された孔に挿通させられて適宜固定される。
【００１９】
一方、左側マウント板３０Ｌの底面にはその左側縁辺のほぼ中央に沿って案内シュー３４Ｌが固着され、この案内シュー３４Ｌには図２及び図３に示すようにスライド板２０Ｂの左側端縁を摺動自在に受け入れる溝３６Ｌが形成される。また、左側マウント板３０Ｌの右側縁辺に沿って側壁３８Ｌが設けられ、この側壁３８Ｌの底部側は肥大部４０Ｌとして形成され、この肥大部４０Ｌには案内ロッド４２Ｌを摺動自在に挿通させるボアが形成される。案内ロッド４２Ｌの両端はスライド板２０Ｂの前方側縁辺及び後方側縁辺にそれぞれ一体的に形成された一対の対向直立支持片４４Ｌに形成された孔に挿通させられて適宜固定される。
【００２０】
なお、上述したように、支持板構造体２０は図１では省かれているが、一対の対向直立支持片４４Ｒと一対の対向直立支持片４４Ｌとについては図示されている。
【００２１】
以上述べたような構成により、可動ケーシング部分１０Ｂがケーシング本体部分１０Ａから左方側に引き出されたとき、左側観察光学系１２Ｌは可動ケーシング部分１０Ｂと共に移動するので、右側観察光学系１２Ｒの接眼レンズ系１８Ｒと左側観察光学系１２Ｌの接眼レンズ系１８Ｌとの光軸間距離（即ち、眼幅）の調節が可能となる。
【００２２】
また、右側観察光学系１２Ｒの対物レンズ系１４Ｒは右側マウント板３０Ｒの前方側に配置されているので、右側マウント板３０Ｒを案内ロッド４２Ｒに沿って前後に移動させることにより、対物レンズ系１４Ｒと光学プリズム系１６Ｒとの距離が調節させられ、このため右側観察光学系１２Ｒの合焦動作が行われることになる。同様に、左側観察光学系１２Ｌの対物レンズ系１４Ｌは左側マウント板３０Ｌの前方側に配置されているので、左側マウント板３０Ｌを案内ロッド４２Ｌに沿って前後に移動させることにより、対物レンズ系１４Ｌと光学プリズム系１６Ｌとの距離が調節させられ、このため左側観察光学系１２Ｌの合焦動作が行われることになる。
【００２３】
右側マウント板３０Ｒ及び左側マウント板３０Ｌをそれぞれの案内ロッド４２Ｒ及び４２Ｌに沿って同期して移動させると共に右側マウント板３０Ｒに対する左側マウント板３０Ｌの左右方向の移動を許容させるために、図５に最もよく示すように、右側マウント板３０Ｒ及び左側マウント板３０Ｌは伸縮自在の連結手段４６によって互いに連結させられる。
【００２４】
詳述すると、本実施形態では、連結手段４６は、右側マウント板３０Ｒの側壁４０Ｒの肥大部４２Ｒの前方端部から左方側に延びた横断面矩形状のロッド部材４６Ａと、このロッド部材４６Ａを摺動自在に受け入れる二股部材４６Ｂとから成る。ロッド部材４６Ａ及び二股部材４６Ｂの長さについては、可動ケーシング部分１０Ｂが収納位置（図２）から最大引出し位置（図３）まで引き出された際にもロッド部材４６Ａと二股部材４６Ｂとの摺動係合が維持され得るものとされる。かくして、可動ケーシング部分１０Ｂがケーシング本体部分１０Ａに対してどのような引出し位置にあっても、右側マウント板３０Ｒ及び左側マウント板３０Ｌはそれぞれの案内ロッド４２Ｒ及び４２Ｌに沿って同期して移動することができる。なお、ロッド部材４６Ａには横断面矩形状の孔４７が形成されるが、この孔４７の機能については後で説明する。
【００２５】
図７を参照すると、図１のＶＩＩ−ＶＩＩ線に沿って切断された縦断面図が示される。図１及び図７から明らかなように、ケーシング本体部分１０Ａの前方壁面には円形開口部４８が形成され、この円形開口部４８は可動ケーシング部分１０Ｂがケーシング本体部分１０Ａに対して収納位置に置かれているときケーシング１０の前方壁の中央に位置させられる。
【００２６】
ケーシング本体部分１０Ａの前方側壁の内側壁面からは円形開口部４８を取り囲むように前方スリーブ部材５０が一体的に突出させられ、この前方スリーブ部材５０の頂部側は図７に示すようにケーシング本体部分１０Ａと一体化させられる。一方、前方スリーブ部材５０から後方側に所定の間隔を置いて後方スリーブ部材５２が配置させられ、この後方スリーブ部材５２はケーシング本体部分１０Ａの頂部壁の内側壁面から吊下するような態様で一体成形される。
【００２７】
前方スリーブ部材５０と後方スリーブ部材５２とは互いに整列させられ、その間には転輪軸筒５４が回転自在に適宜保持される。転輪軸筒５４には転輪部５６が後方スリーブ部材５２に接近して一体的に形成され、この転輪部５６の一部はケーシング本体部分１０Ａの頂部壁に形成された矩形開口部５８を通して外部に露出させられる。なお、一対の観察光学系１２Ｒ及び１２Ｌの合焦動作時、転輪部５６の露出部分は本発明によるデジタルカメラ付き双眼鏡の観察者の例えば人指し指によって回転させられるようになっている。
【００２８】
転輪軸筒５４にはその前方端と転輪部５６との間に雄ねじ６０が形成され、この雄ねじ６０には環状体６２が螺着される。図２、図４及び図７から明らかなように、環状体６２には半径方向外側に突出する突起部６４が形成され、この突起部６４の先端は連結手段４６のロッド部材４６Ａに形成された横断面矩形状の孔４７に嵌入させられる。従って、転輪部５６が回転させられると、環状体６２は転輪軸筒５４の雄ねじ６０と螺着されているためにその長手軸線方向に沿って移動させられ、その移動方向は転輪部５６の回転方向に依存する。要するに、転輪軸筒５４と環状体６２とは転輪軸筒５４の回転運動を環状体６２の直線運動に変換させる運動変換機構を形成する。
【００２９】
環状体６２の突起部６４の先端は連結手段４６のロッド部材４６Ａの孔４７に嵌入されているので、環状体６２の移動に伴い、右マウント板３０Ｒ及び左マウント板３０Ｌも移動させられる。要するに、転輪部５６の回転により、対物レンズ系１４Ｒ及び１４Ｌのそれぞれに対する光学プリズム系１６Ｒ及び１６Ｌの距離が調整され、このため一対の観察光学系１２Ｒ及び１２Ｌの合焦動作が行われることになる。
【００３０】
本実施形態では、一対の観察光学系１２Ｒ及び１２Ｌについては、例えば、対物レンズ系１４Ｒ及び１４Ｌのそれぞれに対する光学プリズム系１６Ｒ及び１６Ｌの距離が最も短いときに４０メール先から無限遠までの観察対象物の合焦が得られるようなパンフォーカス設計とされ、２メートル先から４０メートル先までの観察対象物を観察するとき、転輪軸筒５４の回転により光学プリズム系１６Ｒ及び１６Ｌをそれぞれ対物レンズ系１４Ｒ及び１４Ｌから引き離して観察対象物の合焦が行われる。勿論、光学プリズム系１６Ｒ及び１６Ｌがそれぞれ対物レンズ系１４Ｒ及び１４Ｌから最大距離まで引き離されたとき、２メートル先の観察対象物の合焦が得られることになる。
【００３１】
転輪軸筒５４内にはレンズ鏡筒６６が設置させられ、このレンズ鏡筒６６内には第１レンズ群６８と第２レンズ群７０とから成る撮影光学系が保持される。一方、ケーシング本体部分１０Ａの後方側壁の内側壁面には回路基板７２が取り付けられ、この回路基板７２上には固体撮像素子例えばＣＣＤ（ｃｈａｒｇｅ−ｃｏｕｐｌｅｄ　ｄｅｖｉｃｅ）撮像素子７４が搭載され、このＣＣＤ撮像素子７４はその受光面が撮影光学系（６８、７０）と整列するように配置される。後方スリーブ部材５２の後方端面側には内側フランジ部が形成され、その内側フランジ部には光学的ローパスフィルタ７６が支持される。要するに、本実施形態では、デジタルカメラ付き双眼鏡には所謂デジタルカメラとしての撮影機能が与えられ、被写体は撮影光学系（６８、７０）によって光学的ローパスフィルタ７６を通してＣＣＤ撮像素子７４の受光面に結像させられる。
【００３２】
撮影光学系（６８、７０）が適当な距離の前景被写体から無限遠の遠景被写体までの合焦が得られるようなパンフォーカス設計とされ、しかもその合焦可能範囲内だけで撮影を行うことが前提とされている場合には、レンズ鏡筒６６に合焦機構を組み込むことは必要とされない。しかしながら、本発明によるデジタルカメラ付き双眼鏡を通常のカメラの場合と同様に、例えば２メール先の前景被写体についても撮影することが望まれる場合には、レンズ鏡筒６６にも合焦機構が必要となる。
【００３３】
そこで、本実施形態では、転輪軸筒５４の内周壁面には雌ねじが形成され、一方レンズ鏡筒６６の外周壁面には雄ねじが形成され、これによりレンズ鏡筒６６は転輪軸筒５４内で螺着される。レンズ鏡筒６６の前方端部は前方スリーブ部材５０内に挿入させられ、該前方端部には図７に示すように一対のキー溝７８が直径方向に形成され、各キー溝７８はレンズ鏡筒６６の前方端縁からその長手軸線方向に沿って所定長さだけ延びる。一方、前方スリーブ部材５０の後方側端面に接近した箇所には一対のボアが直径方向に形成され、各ボアにはキー溝７８に係合するようになったピン要素８０が植設される。要するに、キー溝７８とピン要素８０との係合により、レンズ鏡筒６６の回転が阻止される。
【００３４】
かくして、転輪軸筒５４がその転輪部５６の操作により回転させられると、レンズ鏡筒６６はその光軸に沿って移動させられる。即ち、転輪軸筒５４の内周壁面に形成された雌ねじとレンズ鏡筒６６の外周壁面に形成された雄ねじとは該転輪軸筒５４の回転運動をレンズ鏡筒６６の直線運動に変換するための運動変換機能を形成し、この運動変換機構はレンズ鏡筒６６の合焦機構として機能させられる。
【００３５】
転輪軸筒５４の外周壁面に形成される雄ねじ６０とその内周壁面に形成される雌ねじとは互いに逆向きとされ、このため転輪軸筒５４が光学プリズム系１６Ｒ及び１６Ｌをそれぞれ対物レンズ系１４Ｒ及び１４Ｌから引き離すように回転させられたとき、レンズ鏡筒６６はＣＣＤ撮像素子７４から遠のくように移動させられ、かくしてパンフォーカスの範囲から外れた前景被写体がＣＣＤ撮像素子７４の受光面に合焦された状態で結像される。勿論、転輪軸筒５４の外周壁面の雄ねじピッチ及びその内周壁面の雌ねじピッチのそれぞれについては、一対の観察光学系１２Ｒ及び１２Ｌの光学特性及び撮影光学系（６８、７０）の光学特性に応じて異なったものとされる。
【００３６】
図２、図３及び図７に示すように、ケーシング本体部分１０Ａの底部壁の下側壁面には三脚の雲台の雄ねじと螺着するようになった雌ねじ孔８１が形成される。図２から明らかなように、可動ケーシング部分１０Ｂがケーシング本体部分１０Ａに対して収納位置にあるとき、雌ねじ孔８１はケーシング１０の左右長のほぼ中央に位置し、その位置は撮影光学系（６８、７０）の光軸の直下となる。また、図７から明らかなように、雌ねじ孔８１はケーシング本体部分１０Ａの前方側縁辺に近接して配置される。
【００３７】
図１、図２及び図３に示すように、ケーシング本体部分１０Ａの右側端部内には電源回路基板８２が設けられ、この電源回路基板８２はケーシング本体部分１０Ａに対して適宜保持される。また、図２及び図３に示すように、ケーシング本体部分１０Ａの底部壁と支持板構造体２０との間には主制御回路基板８４が設けられ、この主制御回路基板８４はケーシング本体部分１０Ａの底部壁によって適宜支持される。主制御回路基板８４にはマイクロコンピュータやメモリ等の電子部品が搭載され、ＣＣＤ搭載用回路基板７２及び電源回路基板８２は平坦なフレキシブル配線コード（図示されない）を介して主制御回路基板８４に適宜接続される。
【００３８】
本実施形態では、図２、図３及び図７に示すように、ケーシング本体部分１０Ａの頂部壁の外面にはＬＣＤ（ｌｉｑｕｉｄ　ｃｒｙｓｔａｌ　ｄｉｓｐｌａｙ）モニタ８６が配置され、このＬＣＤ表示器８６は図７に示すように該頂部壁の前方側縁に沿って設けた回動軸８８に回動自在に装着される。ＬＣＤ表示器８６は通常は図７に実線で示す収納位置に置かれ、このときＬＣＤ表示器８６の液晶表示面はケーシング本体部分１０Ａの頂部壁側に向いているので、その液晶表示面を観察することはできない。ＣＣＤ撮像素子７４によって撮影作動が行われるとき、ＬＣＤ表示器８６はその収納位置から図７で破線で部分的に示すような表示位置まで手動操作により回動させれ、このときＬＣＤ表示器８６の液晶表示面が接眼レンズ系１８Ｒ及び１８Ｌの側から観察され得るようになっている。
【００３９】
図１、図２及び図３から明らかなように、可動ケーシング部分１０Ｂの左側端部内は仕切り壁２９によって仕切られ、その内部はバッテリィ充填室９０として郭成される。バッテリィ充填室９０には二本のバッテリィ９２が充填され、電源回路基板８２は給電配線コード（図示されない）を介してバッテリィ９２から給電を受け、ＣＣＤ搭載用回路基板７２上のＣＣＤ撮像素子、主制御回路基板８４上のマイクロコンピュータやメモリ等の電子部品及びＬＣＤ表示器８６は電源回路基板８２から給電される。
【００４０】
また、バッテリィ充填室９０の外壁側面の一部はバッテリィカバー２００として構成され、可動ケーシング部分１０Ｂの底部壁の左辺とヒンジ２０２により連結される。すなわちバッテリィカバー２００は、ヒンジ２０２を回転軸として開閉自在である（図９参照）。仕切り壁２９の下側の主制御回路基板８４に隣接する位置には、バッテリィ充填室９０を主制御回路基板８４が配置された空間に連通する長方形の開口部２０４が形成される。図２に示されるように、主制御回路基板８４の開口部２０４に対応する位置にはスライドスイッチ２０６が取り付けられ、可動ケーシング部分１０Ｂが収納位置にあるとき、スライドスイッチ２０６の摘み部２０８が開口部２０４に位置する。また、可動ケーシング部分１０Ｂが収納位置から最大引出し位置に移動されると、開口部２０４はスライドスイッチ２０６から遠ざかる。なお、スライドスイッチ２０６は、ビデオ出力端子コネクタ９４から出力されるビデオ信号の方式を変更するもので、３つの位置を択一的に選択できる。各位置は例えばＮＴＳＣ方式、ＰＡＬ方式、ＳＥＣＡＭ方式のビデオ信号に対応している。
【００４１】
図２及び図３に示されるように、電源回路基板８２には２つの接続コネクタ、即ちビデオ出力端子コネクタ９４とＵＳＢ出力端子コネクタ９５とが上下方向に並んで搭載され、これら接続コネクタ９４及び９５は例えば画像処理コンピュータ（図示されない）との接続ために用いられる。電源回路基板８２は接続コネクタ９４及び９５と共にシールドカバー９６によって覆われ、シールドカバー９６については適当な導体材料例えば適当な厚さの鋼板から形成することができる。
【００４２】
要するに、ケーシング本体部分１０Ａの右側外方端部には、電源回路基板８２と、接続コネクタ９４及び９５と、シールドカバー９６とが収容されるのに対して、可動ケーシング部分１０Ｂの左側外方端部には、二本のバッテリィ９２が収容される。言うまでもなく、バッテリィ９２の重量は比較的大きく、このためデジタルカメラ付き双眼鏡の左右重量バランスは左側に大きく偏ることになる。即ち、観察者がデジタルカメラ付き双眼鏡を両手で構えたとき、左手で受ける重量が右手で受ける重量よりも大きなものとなり得る。
【００４３】
そこで、デジタルカメラ付き双眼鏡の左右の重量をバランスさせるために、二本のバッテリィ９２の重量に応じてシールドカバー９６の厚さを適宜調節して、電源回路基板８２と、接続コネクタ９４及び９５と、シールドカバー９６との重量が二本分のバッテリィ９２の重量に見合ったものとされる。もし必要ならば、図１、図２及び図３に示すように、比較的重量の或る金属板例えば鋼板、亜鉛板或いは鉛板をバランス重り即ちカウンタウエイトＣＷとしてケーシング本体部分１０Ａの右方側壁の内側壁面に取り付け、これによりデジタルカメラ付き双眼鏡の左右の重量をバランスさせることもできる。勿論、カウンタウエイトＣＷの取付箇所はケーシング本体部分１０Ａの右方側壁だけに限らず、シールドカバー９６であってもよい。
【００４４】
また、図２及び図３に示すように、主制御回路基板８４の下側にはＣＦカードホルダ９７が設けられ、このＣＦカードホルダ９７にはＣＦカードがメモリカードとして抜差し自在に挿入し得るようになっている。
【００４５】
ＣＣＤ撮像素子７４に撮影作動を行わせるために必要とされる種々のスイッチ（図示されない）、例えば電源スイッチ、画像表示スイッチ、レリーズスイッチ等はケーシング本体部分１０Ａの頂部壁の外側に適宜設けられる。電源スイッチがオンされ、かつ画像表示スイッチがオンされると、ＣＣＤ撮像素子７４の受光面に結像された被写体像は一フレーム分の画像データに光電変換され、その一フレーム分の画像信号は所定の所定の時間間隔で順次読み出されて適宜画像処理された後に一フレーム分のデジタル画像データに変換される。次いで、一フレーム分の画像データは主制御回路基板８４上のフレームメモリに一旦書き込まれ、そのフレームメモリからデジタルビデオ信号として読み出される。続いて、デジタルビデオ信号はアナログビデオ信号に変換された後に適宜画像処理されてＬＣＤ表示器８６に送られ、これによりＬＣＤ表示器８６の液晶表示画面には被写体像が動画として再現表示される。
【００４６】
レリーズスイッチがオンされると、上述のフレームメモリに書き込まれた一フレーム分の画像データが静止画像データとして読み出されて、主制御回路基板８４上のマイクロコンピュータ内のメモリに取り込まれ、そこで適宜画像処理された後にＣＦカードに所定のフォーマットに従って書き込まれる。ＣＦカードは必要に応じてＣＦカードホルダ９７から取り出され、例えば画像処理コンピュータのＣＦカード用ドライバに装填され、そこで一フレーム分の画像データは適宜処理された後に例えばプリンタによって撮影画像として出力される。一方、撮影機能付双眼鏡が接続コネクタ９４或いは９５を介して画像処理コンピュータに接続されている場合には、ＣＦカードをＣＦカードホルダ９７に装填された儘でその画像データを画像処理コンピュータに転送することも可能である。
【００４７】
図８は図７と同様な縦断面図であって、上述した実施形態の変形実施形態を示す図である。図８に示す変形実施形態では、転輪軸筒５４の回転運動を環状体６２の直線運動に変換するための運動変換機構と転輪軸筒５４の回転運動をレンズ鏡筒６６の直線運動に変換するための運動変換機構とが上述した実施形態の場合とは異なり、この点を除けば図８のデジタルカメラ付き双眼鏡は図１ないし図７に示したデジタルカメラ付き双眼鏡と実質的に同じものである。なお、図８では、図７に示した構成要素と同様な構成要素については同じ参照符号が用いられる。
【００４８】
詳述すると、図８に示す変形実施形態では、転輪軸筒５４の外周壁面にはカム溝９８（図８では、カム溝９８が平面上に展開された状態で破線によって示される）が形成され、このカム溝９８には環状体６２の内側壁面からカムフォロワとして突出した短軸１００が摺動係合させられ、このカム溝９８と短軸１００とにより、転輪軸筒５４の回転運動を環状体６２の直線運動に変換するための運動変換機構が形成される。一方、転輪軸筒５４の内周壁面にはカム溝１０２（図８では、カム溝１０２が平面上に展開された状態で破線によって示される）が形成され、このカム溝１０２にはレンズ鏡筒６６の外側壁面からカムフォロワとして突出した短軸１０４が摺動係合させられ、このカム溝１０２と短軸１０４とにより、転輪軸筒５４の回転運動をレンズ鏡筒６６の直線運動に変換するための運動変換機構が形成される。
【００４９】
図１ないし図７に示す実施形態のように、運動変換機構が雄ねじと雌ねじとの螺着により形成される場合、転輪軸筒５４の回転量は環状体６２或いはレンズ鏡筒６６の直線運動量に対して線型関係となる。しかしながら、一対の観察光学系１２Ｒ及び１２Ｌ或いは撮影光学系（６８、７０）の合焦位置については、対物光学系１４Ｒ及び１４Ｌに対する光学プリズム系１６Ｒ及び１６Ｌとの距離或いはＣＣＤ撮像素子７４の受光面に対する撮影光学系（６８、７０）に対する距離に対して必ずしも線型関係とはならない。
【００５０】
従って、一対の観察光学系１２Ｒ及び１２Ｌ或いは撮影光学系（６８、７０）について正確な合焦位置を得るためには、図８に示すような変形実施形態の場合のように、運動変換機構についてはカム溝（９８、１０２）と短軸（１００、１０４）とにより形成することが好ましい。というのは、勿論、転輪軸筒５４の回転量と環状体６２或いはレンズ鏡筒６６の直線運動量との関係を容易に非線型とすることが可能であり、その結果として、一対の観察光学系１２Ｒ及び１２Ｌ或いは撮影光学系（６８、７０）について正確な合焦位置が得られるからである。しかしながら、実際には、一対の観察光学系１２Ｒ及び１２Ｌについても或いは撮影光学系（６８、７０）についても或る程度の焦点深度が得られるので、図１ないし図７に示す実施形態のように、運動変換機構を雄ねじと雌ねじとの螺着により形成しても特に差し支えはない。
【００５１】
図９、図１０は、バッテリィカバー２００が開からた状態で、デジタルカメラ付き双眼鏡を底面側から見た斜視図であり、バッテリィ充填室９０内におけるスライドスイッチ２０６の配置を示す。なお、図１０では、バッテリィカバー２００とスライドスイッチ２０６周辺のケーシング（仕切り壁２９及び可動ケーシング部１０Ｂの底面）の一部を破断した状態で示す。
【００５２】
バッテリィ充填室９０内にバッテリィが装填されている場合、図２に示されるように開口部２０４はバッテリィ９２により覆い隠されている。図９に示すように、バッテリィをバッテリィ充填室９０から取り外すと、開口部２０４が露になる。このとき可動ケーシング部１０Ｂが収納位置にあると、開口部２０４内にスライドスイッチ２０６の摘み部２０８が位置し、使用者はペン先等の細い棒状の部材を用いて摘み部２０８を操作することができる。摘み部２０８は例えば矢印Ａ方向にスライドさせることができ、ビデオ信号の方式（ＮＴＳＣ、ＰＡＬ、ＳＥＣＡＭ等）を択一的に選択することができる。
【００５３】
以上のように、本実施形態によれば、複数の方式によるビデオ信号の出力機能を備えた携帯電子機器において、機械的なスイッチを用いてビデオ信号の送信方式を切替えられるので、一般のユーザにとっても分かり易く操作し易い。また、ビデオ信号の送信方式の切替えは、電源が投入される前に行われる必要があるが、本実施形態では、バッテリィを取り付けた状態ではスイッチが隠れているので、電源投入後に誤ってスイッチを操作してしまうことがない。また更に、スイッチを操作するには、一旦バッテリィを抜き取らないと行えないので、スイッチの切替え後に電源が投入されることとなる。
【００５４】
切替え用のスライドスイッチは、バッテリカバーが設けられたバッテリィ充填室内に設けられているので、ゴミ等の侵入を防止することができる。
【００５５】
なお、本実施形態では、デジタルカメラ付き双眼鏡におけるビデオ信号出力の方式の切替えについて説明を行ったが、本発明は例えば携帯電子機器をＳＣＳＩに接続する場合等にも応用できる。このような場合には、ＤＩＰスイッチ等をバッテリィ充填室内のバッテリィによって覆われる位置に設ければよい。
【００５６】
【発明の効果】
以上のように、本発明によれば、起動前に切替えを必要とする機能を備えた携帯電子機器において、機能の切替えを簡便に行えかつ誤操作を防止することができる。また、複数の方式によるビデオ信号の出力機能を備えた携帯電子機器において、簡便にビデオ信号の送信方式を切替えられ、かつ誤操作を防止できる。
【図面の簡単な説明】
【図１】本発明による撮影機能付双眼鏡の一実施形態を示す平面断面図である。
【図２】図１のＩＩ−ＩＩ線に沿う断面図であって、デジタルカメラ付き双眼鏡の可動ケーシング部分を収納位置で示す図である。
【図３】図２の同様な断面図であって、デジタルカメラ付き双眼鏡の可動ケーシング部分を最大引出し位置で示す図である。
【図４】デジタルカメラ付き双眼鏡のケーシング内に設けられる支持板構造体の平面図である。
【図５】図４に示す支持板構造体上に設置される右側マウント板及び左側マウント板の平面図である。
【図６】図５のＶＩ−ＶＩ線に沿う矢視図である。
【図７】図１のＶＩＩ−ＶＩＩ線に沿う縦断面図である。
【図８】図７と同様な縦断面図であって、本発明によるデジタルカメラ付き双眼鏡の変形実施形態を示す図である。
【図９】本実施形態のデジタルカメラ付き双眼鏡の底面側からの斜視図である。
【図１０】図９のデジタルカメラ付き双眼鏡のスライドスイッチ周辺のカバーを一部破断した斜視図である。
【符号の説明】
２９　仕切り壁
９０　バッテリィ充填室（電池充填室）
９２　バッテリィ
９４　ビデオ出力端子コネクタ
２００　バッテリィカバー
２０４　開口部
２０６　スライドスイッチ
２０８　摘み部（操作部）
【図１】
2004138954.tif 000003
【図２】
2004138954.tif 000004
【図３】
2004138954.tif 000005
【図４】
2004138954.tif 000006
【図５】
2004138954.tif 000007
【図６】
2004138954.tif 000008
【図７】
2004138954.tif 000009
【図８】
2004138954.tif 000010
【図９】
2004138954.tif 000011
【図１０】
2004138954.tif 000012